(57)【特許請求の範囲】
【請求項１】
フレキシブルプリント配線板が挿入されるハウジングと、ハウジング内に挿入されるフレキシブルプリント配線板の表面に露出した導体パターンに弾接する接点部を有する複数のコンタクトと、ハウジング内に挿入されたフレキシブルプリント配線板を接点部側に押圧する第１の規定位置と押圧しない第２の規定位置との間でハウジングに対して起伏自在としたレバーとを備え、レバーは、ハウジングに枢着される側の端部に形成された複数のカム部とレバーにおける当該カム部の並列方向となるレバーの長手方向の両端から突出した２つの枢支軸とを有し、枢支軸がハウジングに配設された軸受部に枢支軸回りに回動可能に載置されるとともにコンタクトにおいてハウジングに対するフレキシブルプリント配線板の挿入方向における奥に配設された部位から延出して形成されたフレキシブルプリント配線板の挿入方向と垂直方向に弾性変形する枢支部がカム部に係合することによって枢支されるものであって、軸受部に係合用凸部を設けるとともに軸受部に当接する枢支軸の一部に係合用凹部を設け、レバーを第１の規定位置から第２の規定位置に起こし、フレキシブルプリント配線板の挿入方向においてハウジングの周壁と対向するレバーの長手方向の両端部が、ハウジングの周壁に当接した状態で係合用凹部と係合用凸部とが凹凸係合され係合用凹部が係合用凸部を乗り越える際に生ずる抵抗によりレバーがハウジングに仮保持されてなり、レバーを第２の規定位置から第１の規定位置に向け伏せる際に、枢支軸が枢支軸回りに回動し、係合用凹部が係合用凸部を乗り越えて枢支軸が係合用凸部に当接することを特徴とするコネクタ。
【発明の詳細な説明】
【技術分野】
【０００１】
本発明は、フレキシブルプリント配線板（Ｆｌｅｘｉｂｌｅ  Ｐｒｉｎｔｅｄ  Ｃｉｒｃｕｉｔ：ＦＰＣ）が接続されるコネクタに関するものである。
【背景技術】
【０００２】
従来から、ＦＰＣが接続されるコネクタ（ＦＰＣ用コネクタ）として、図９，１０に示すように、ＦＰＣ２が挿入されるハウジング３’と、ハウジング３’に所定の間隔で保持されＦＰＣの表面の導体パターン（図示せず）に弾接する第１接点部４ａ’を有する複数の第１コンタクト４’および第２接点部５ａ’を有する複数の第２コンタクト５’とを備え、各コンタクト４’，５’がハウジング３’内でハウジング３’の長手方向において交互に配列され、ＦＰＣの導体パターンと、対応する各コンタクト４’，５’の各接点部４ａ’，５ａ’とを圧接させるためのレバー（アクチュエータ）６’を備えたコネクタ１’が提案されている（特許文献１参照）。
【０００３】
ところで、図９に示した構成のコネクタ１’では、レバー６’の長手方向の両端に突出した枢支軸がハウジング３’の軸受部に載置されるとともにレバー６’に形成されたカム部（図示せず）に第１コンタクト４’および第２コンタクト５’のうちハウジング３’のＦＰＣ２の挿入方向における奥に配設された部位から延出して形成された枢支部４ｂ’，５ｂ’が係合することによりレバー６’が枢支され、レバー６’を枢支軸回りに回動自在とすることで、レバー６’は、ハウジング３’に対してＦＰＣ２を押圧する第１の規定位置と押圧しない第２の規定位置との間で起伏自在となっている。ここで、図１０に示すように、レバー６’を起こしたときに、第２枢支部５ｂ’を係合するためにレバー６’に形成された溝６ｅ’の内側縁部が第２枢支部５ｂ’の一部と当接することによりレバー６’の回動が規制されて、レバー６’の回動範囲が十分に得られずに、ＦＰＣ２の挿入作業性が悪くなることがあった。
【０００４】
これに対して、レバーの回動範囲を大きくしたコネクタとして、図１１に示すようなコネクタ１”が提案されている。図１１に示すコネクタ１”は、ＦＰＣ２が挿入される合成樹脂製のハウジング３”を備え、ＦＰＣ２の表面の導体パターン（図示せず）に弾接する第１接点部（図示せず）を有する複数の第１コンタクト４”と、第２接点部（図示せず）を有する複数の第２コンタクト５”とがハウジング３”内でハウジング３”の長手方向において交互に配列されており、レバー６”の端部には、第１コンタクト４”および第２コンタクト５”においてハウジング３”へのＦＰＣの挿入方向におけるハウジング３”の奥に配設された部位から延出して形成されレバー６”を枢支する第１枢支部４ｂ”および第２枢支部５ｂ”が挿入される第１貫通孔６ｂ”および第２貫通孔６ｅ”が貫設されている。
【０００５】
ここで、第１枢支部４ｂ”と第２枢支部５ｂ”とはハウジング３”の長手方向に略一列に配置されており、第１接点部は第１枢支部４ｂ”よりもハウジング３”へのＦＰＣ２の挿入方向とは反対方向に所定の距離だけ離して配置され、一方、第２接点部５ａ”は第２枢支部５ｂ”よりもハウジング３”へのＦＰＣ２の挿入方向に所定距離だけ離して配置されている。また、レバー６”の端縁と第１貫通孔６ｂ”および第２貫通孔６ｅ”との間に第１カム部（図示せず）および第２カム部（図示せず）が形成されており、レバー６”の長手方向の両端に突出した枢支軸が軸受部に載置されるとともに枢支部４ｂ”，５ｂ”がカム部に係合することでレバー６”がハウジング３”に対して回動自在に支持され、レバー６”がハウジング３”に対してＦＰＣ２を押圧する第１の規定位置と押圧しない第２の規定位置との間で起伏自在となっている。ここで、レバー６”が第２の規定位置に起こすとともに第２貫通孔６ｅ”に第２枢支部５ｂ”が挿通されるようになっているので、上述のコネクタ１’に比べてレバー６”の回動範囲を十分に得られるようになっている。
【特許文献１】特開２００１−１１０４８３号公報
【発明の開示】
【発明が解決しようとする課題】
【０００６】
しかしながら、図１１に示す構成のコネクタ１”では、ＦＰＣ２の挿入前或いは挿入中にコネクタ１”に振動が与えられえるとレバー６”が第１の規定位置に倒れる（図１１の矢印方向）ことがあった。すると、再度レバー６”を第２の規定位置に起こす作業が必要となり挿入作業に手間がかかることがあった。また、ＦＰＣ２が正規の位置に挿入されていない状態でコネクタ１”に振動が加わり、ＦＰＣ２が正規の位置に挿入されていない状態でレバー６”が倒れてしまうこともあった。
【０００７】
本願の発明は、上記事由に鑑みてなされたものであり、その目的は、ハウジングへのフレキシブルプリント配線板の挿入前或いは挿入中に振動が加わってレバーが倒れることを防止し、フレキシブルプリント配線板の挿入作業の作業性を向上させるとともにフレキシブルプリント配線板を正規の位置まで確実に挿入できるコネクタを提供することにある。
【課題を解決するための手段】
【０００８】
請求項１の発明は、フレキシブルプリント配線板が挿入されるハウジングと、ハウジング内に挿入されるフレキシブルプリント配線板の表面に露出した導体パターンに弾接する接点部を有する複数のコンタクトと、ハウジング内に挿入されたフレキシブルプリント配線板を接点部側に押圧する第１の規定位置と押圧しない第２の規定位置との間でハウジングに対して起伏自在としたレバーとを備え、レバーは、ハウジングに枢着される側の端部に形成された複数のカム部とレバーにおける当該カム部の並列方向となるレバーの長手方向の両端から突出した２つの枢支軸とを有し、枢支軸がハウジングに配設された軸受部に枢支軸回りに回動可能に載置されるとともにコンタクトにおいてハウジングに対するフレキシブルプリント配線板の挿入方向における奥に配設された部位から延出して形成されたフレキシブルプリント配線板の挿入方向と垂直方向に弾性変形する枢支部がカム部に係合することによって枢支されるものであって、軸受部に係合用凸部を設けるとともに軸受部に当接する枢支軸の一部に係合用凹部を設け、レバーを第１の規定位置から第２の規定位置に起こし、フレキシブルプリント配線板の挿入方向においてハウジングの周壁と対向するレバーの長手方向の両端部が、ハウジングの周壁に当接した状態で係合用凹部と係合用凸部とが凹凸係合され係合用凹部が係合用凸部を乗り越える際に生ずる抵抗によりレバーがハウジングに仮保持されてなり、レバーを第２の規定位置から第１の規定位置に向け伏せる際に、枢支軸が枢支軸回りに回動し、係合用凹部が係合用凸部を乗り越えて枢支軸が係合用凸部に当接することを特徴とする。
【０００９】
この発明によれば、軸受部と枢支軸との一方に係合用凹部が設けられるとともに他方に係合用凸部が設けられ、レバーを第１の規定位置から第２の規定位置に起こした状態で当該係合用凹部と係合用凸部とが凹凸係合してレバーを第２の規定位置に起こした状態で仮保持することができるので、フレキシブルプリント配線板の挿入前或いは挿入中にわずかな振動でレバーが倒れるのを防止し、フレキシブルプリント配線板挿入作業の手間を省くことができる。また、フレキシブルプリント配線板が正規の位置に挿入されていない状態でコネクタに振動が与えられ、レバーがフレキシブルプリント配線板を接点部側に押圧する位置に倒れるのを防止できる。
【発明の効果】
【００１０】
請求項１の発明によれば、レバーを第２の規定位置に起こした状態で仮保持することができ、ハウジングへのフレキシブルプリント配線板の挿入前或いは挿入中に振動でレバーが倒れるのを防止し、フレキシブルプリント配線板の挿入作業の手間を省くことができるという効果がある。
【発明を実施するための最良の形態】
【００１１】
以下、本実施形態のコネクタ１について図１乃至図７に基づいて説明する。
【００１２】
本実施形態のコネクタ１は、ＦＰＣ２が挿入される合成樹脂製のハウジング３と、ＦＰＣ２の表面に露出した導体パターン（図示せず）に弾接する接点部４ａ，５ａを有する複数の導電性のコンタクト４，５と、ハウジング３に対してハウジング３内に挿入されたＦＰＣ２を第１接点部４ａおよび第２接点部５ａ側に押圧する第１の規定位置と押圧しない第２の規定位置との間で起伏自在となるように枢支されたレバー６とを備えている。ここで、レバー６は、長手方向の両端に突出した枢支軸６ａ，６ａがハウジング３に配設された後述の補強用金具３０，３０の軸受部３ｃ，３ｃに載置されるとともにコンタクト４，５がレバー６に設けられた後述のカム部６ｃ，６ｆに係合することで枢支され、レバー６を第１の規定位置から第２の規定位置に起こすときにレバー６は、枢支軸６ａ，６ａ回りに回動する。以下、ハウジング３に配設された状態で、ハウジング３へのＦＰＣ２の挿入方向において手前側に位置する第１接点部４ａを有するコンタクト４を第１コンタクト４と、第１接点部４ａよりも奥側に位置する第２接点部５ａを有するコンタクト５を第２コンタクト５として説明する。なお、ＦＰＣ２の表面には、複数の導体パターン（図示せず）が等間隔で配列している。
【００１３】
また、ハウジング３は、合成樹脂等の絶縁材料で形成されており、ハウジング３の長手方向に沿ってＦＰＣ２を受けるＦＰＣ受入部３ａが形成されている。
【００１４】
以下、図６，７の左右方向を前後方向として、上下方向を上下方向として説明する。
【００１５】
ハウジング３の上壁３ｇは、ハウジング３の前方から略半分を切り欠くことにより上方開口部３ｂが形成されており、上方開口部３ｂには上述のレバー６が配置される。
【００１６】
また、ハウジング３には、第１コンタクト４を後方から前方に向かって挿入するための複数の第１の孔３ｅと、第２コンタクト５をハウジング３に対して前方から後方に向かって挿入するための複数の第２の孔３ｆとがハウジング３の長手方向に沿って所定の間隔で交互に設けられている。従って、第１コンタクト４が第１の孔３ｅに挿入され、第２コンタクト５が第２の孔３ｆに挿入されることにより、第１コンタクト４と第２コンタクト５とは、ハウジング３の長手方向に沿って交互に配列される。
【００１７】
ここで、金属製の第１コンタクト４は、図６に示すように、ハウジング３の上壁３ｇと下壁３ｈとの間に嵌合される基部４ｆと、基部４ｆからハウジング３の下壁３ｈに沿って延出し先端部に第１接点部４ａが形成されたコンタクト片４ｇと、基部４ｆからハウジング３の上壁３ｇに沿って上方開口部３ｂまで延出し後述のレバー６の第１カム部６ｃに係合する断面Ｕ字状の第１枢子部４ｂが形成された枢支片４ｈとを備えている。つまり、コンタクト片４ｇはＦＰＣ受入部３ａの下側に配設され、枢支片４ｈはＦＰＣ受入部３ａの上側に配設される。第１コンタクト４は、基部４ｆの上側縁に突起部４１ｆが設けられており、第１の孔３ｅ内で当該突起部４１ｆをハウジング３の上壁３ｇに喰い込ませることで、ハウジング３に固定されている。また、第１コンタクト４は、基部４ｆの下側縁から下向きにストッパ４ｃが突出して形成されており、第１コンタクト４のハウジング３に対する挿入量を規制している。ここで、ストッパ４ｃは、一部がハウジング３の下面よりも突出しており、当該一部が表面実装用の外部接続用端子部を兼ねている。
【００１８】
ここで、コンタクト片４ｇは、弾性変形が可能に形成されており、ＦＰＣ２が挿入されると下方に弾性変形して上方への付勢力が働くようになっている。一方、枢支片４ｈは、先端部の第１枢子部４ｂが上下方向に弾性変位が可能となるように形成されており、上方開口部３ｂに向けて突出している。ここで、第１枢子部４ｂは、第１接点部４ａよりも後方に所定の距離だけ離して配置されている。
【００１９】
一方、金属製の第２コンタクト５は、図７に示すように、ハウジング３の上壁３ｇと下壁３ｈとの間に嵌合される基部５ｆと、基部５ｆからハウジング３の下壁３ｈに沿って延出し略中央部に第２接点部５ａが形成されたコンタクト片５ｇと、基部５ｆからハウジング３の上壁３ｇに沿って上方開口部３ｂまで延出し後述のレバー６の第２カム部６ｆに係合してレバー６を枢支する第２枢子部５ｂが形成された枢支片５ｈとを備えている。つまり、コンタクト片５ｇはＦＰＣ受入部３ａの下側に配設され、枢支片５ｈはＦＰＣ受入部３ａの上側に配設される。第２コンタクト５は、基部５ｆの上側縁に突起部５１ｆが設けられており、第２の孔３ｆ内で当該突起部５１ｆをハウジング３の上壁３ｇに当接してハウジング３に固定されている。コンタクト片５ｇには、略中央部に第２接点部５ａが形成されているとともに、下側縁から下向きにストッパ５ｃが突出して形成されており、第２コンタクト５のハウジング３に対する挿入量を規制している。ここで、ストッパ５ｃは、一部がハウジング３の下面よりも突出しており、当該一部が表面実装用の外部接続用端子部を兼ねている。
【００２０】
上述の枢支片５ｈの先端には、第１枢支部４ｂの根元部４ｉよりも厚い根元部５ｉを有しレバー６がＦＰＣ２を押圧しない第２の規定位置にあるときに後述の第２カム部６ｆに係合する第２枢支部５ｂが設けられている。従って、第２枢支部５ｂは、根元部５ｉが厚い分、第１枢支部４ｂよりも上下方向に弾性変形しにくくなっている。第２コンタクト５の第２枢支部５ｂの先端部に、凸部５ｅが設けられており、当該凸部が後述の第２貫通孔６ｅに挿入された第２枢支部５ｂが第２貫通孔６ｅから抜けないように係止する役割をすることで、ＦＰＣ２を押圧しない位置でレバー６を係止することができる。また、第２枢支部５ｂの先端部の下部、即ち、凸部５ｅの下部には、レバー６がＦＰＣ２を押圧しない位置にあるときに後述の第２カム部６ｆを係合する係合面５ｄが形成されている。更に、当該係合面５ｄの後方には、レバー６がＦＰＣ２を押圧する位置にあるときに後述の第２カム部６ｆに当接する段差状の当接面５ｊが形成されている。また、第２枢支部５ｂは、第２接点部５ａよりも前方に所定の距離だけ離して配置されている。
【００２１】
しかして、第１コンタクト４と第２コンタクト５をハウジング３に配設した状態では、第１枢支部４ｂと第２枢支部５ｂとが交互にハウジング３の長手方向に沿って一列に配置されることになり、第１接点部４ａが第１枢子部４ｂから前方に所定の距離だけ離して配置され、第２接点部５ａが第２枢子部５ｂから後方に所定の距離だけ離して配置されることになる。つまり、ハウジング３へのＦＰＣ２の挿入方向において第１接点部４ａが手前側に配置され、第２接点部５ａが奥側に配置される。そして、ＦＰＣ２がハウジング３に挿入された状態では、ハウジング３の長手方向に各一列に配列された複数の第１接点部４ａおよび第２接点部５ａが、ＦＰＣ２の表面に露出しＦＰＣ２の挿入方向とは直交する方向に配列された複数の導体パターンと接触する。
【００２２】
レバー６は、合成樹脂で形成されており、ハウジング３の上方開口部３ｂに配置され、長手方向の両端面から突出する枢支軸６ａ，６ａは、レバー６の回動に伴って回動する。ここで、レバー６に形成された後述の第１カム部６ｃと第２カム部６ｆとは、枢支軸６ａ，６ａと同軸上に配置される。また、ハウジング３の長手方向の両側壁３ｉ，３ｉの内側には両側壁３ｉ，３ｉを補強するための補強用金具３０，３０が配設されており、レバー６の長手方向の両端に形成された枢支軸６ａ，６ａは、補強用金具３０，３０の上端縁に段差状に形成された軸受部３ｃ，３ｃに載置される。
【００２３】
また、レバー６には、長手方向に沿って第１コンタクト４の第１枢支部４ｂに対応する位置に複数の第１貫通孔６ｂが設けられている。更に、レバー６の端縁と第１貫通孔６ｂとの間には、レバー６の回動に伴って回動する第１カム部６ｃが形成されている。ここで、第１枢支部４ｂが第１カム部６ｃに係合することで、レバー６が第１枢支部４ｂにより回動自在に支持される。
【００２４】
また、レバー６には、長手方向に沿って第２コンタクト５に設けた第２枢支部５ｂに対応する位置に複数の第２貫通孔６ｅが設けられている。ここで、レバー６の第２貫通孔６ｅの周辺部分の厚さは、レバー６の他の部分よりも厚く形成されており、ＦＰＣ２を接点部４ａ，５ａ側へ押圧するＦＰＣ押圧部６ｈを構成している。また、レバー６の端縁と第２貫通孔６ｅとの間には、レバー６の回動に伴って回動する上述の第２カム部６ｆが形成されている。ここで、第２枢支部５ｂは、ＦＰＣ押圧部６ｈがＦＰＣ２を押圧しているときには、当接面５ｊが第２カム部６ｆの上方に当接しレバー６を係止し、ＦＰＣ押圧部６ｈがＦＰＣ２を押圧しないときには、第２貫通孔６ｅに挿入された形で第２カム部６ｆに係合することで、レバー６が第２枢支部５ｂにより回動自在に支持されている。更に、レバー６のＦＰＣ押圧部６ｈが形成された面とは反対側の外側面には、レバー６をＦＰＣ２を押圧しない第２の規定位置に起こしたときにＦＰＣ２の表面と略平行となる傾斜面６ｄが形成されている。
【００２５】
しかして、レバー６は、第１カム部６ｃに第１コンタクト４の第１枢支部４ｂが係合し、枢支軸６ａ，６ａが軸受部３ｃ，３ｃに載置されることによってハウジング３に対して起伏自在に支持されている。
【００２６】
ハウジング３にＦＰＣ２を挿入し、レバー６を、ＦＰＣ２を押圧する位置まで回動させると、レバー６のＦＰＣ押圧部６ｈが、ＦＰＣ２を押圧し、ＦＰＣ２の導体パターンと第１接点部４ａおよび第２接点部５ａとが適度の接圧で当接して電気的に接続される。つまり、ＦＰＣ２が、レバー６のＦＰＣ押圧部６ｈと第１接点部４ａおよび第２接点部５ａとの間に挟持されることとなり、ＦＰＣ２の厚さ分だけコンタクト片４ｇが下方に弾性変形し、その弾力によって適度の接圧が得られるようになっている。
【００２７】
ところで、図２に示すように、レバー６の枢支軸６ａには、ハウジング３の軸受部３ｃに当接する部分の一部に係合用凹部６１ａが設けられており、一方、軸受部３ｃには係合用凸部３１ｃが設けられている。そして、レバー６がハウジング３の周壁３ｍ，３ｍに当接して開いた状態で係合用凹部６１ａが係合用凸部３１ｃに係合するように形成されている。図３に示すように、係合用凹部６１ａに係合用凸部３１ｃが係合すれば、係合用凹部３１ｃが係合用凸部６１ａを乗り越える際に抵抗が生じるのでレバー６は係合用凹部６１ａに係合用凸部３１ｃが係合した状態で仮保持されることになる。
【００２８】
ここで、レバー６をハウジング３に対して回動させたときの状態について図８に基づいて詳細に説明する。図８（ａ）〜（ｄ）は、レバー６をハウジング３に対して回動させたときの状態を示し、左側は、全体断面図であり、右側は、要部を拡大した側面図である。ここで、図８（ａ）は、レバー６を第１の規定位置から第２の規定位置に向けて回動させた角度Ａが１４０°のときの状態を示し、（ｂ）はＡ＝１３５°、（ｃ）はＡ＝１３０°、（ｄ）はＡ＝１２０°のときの状態を示す。
【００２９】
レバー６は、図８（ａ）〜（ｄ）に示すように、レバー６を、第１の規定位置から第２の規定位置に向かってレバー６を回動させていくと、枢支軸６ａに設けられた係合用凹部６１ａが軸受部３ｃに設けられた係合用凸部３１ｃに近づいていく。そして、図８（ａ）に示すように、レバー６が第１の規定位置から角度Ａ＝１４０°だけ起こした状態では、レバー６の長手方向の両端部がハウジング３の周壁３ｍ，３ｍに当接するとともに係合用凹部６１ａと係合用凸部３１ｃとが係合し、レバー６は仮保持される。
【００３０】
しかして、ＦＰＣ２の挿入前或いは挿入中にわずかな振動でレバー６が第２の規定位置から第１の規定位置に倒れるのを防止するので、再度レバー６を第２の規定位置に起こす作業が不要になり、挿入作業の手間を省くことができる。また、ＦＰＣ２が正規の位置に挿入されていない状態でレバー６が第１の規定位置に向かって倒れるのを防止できるので、同様に挿入作業の手間を省くことができる。
【図面の簡単な説明】
【００３１】
【図１】本実施形態のコネクタの一部破断した側面図であり、（ａ）はレバーを第２の規定位置に起こした状態を示し、（ｂ）はレバーを第２の規定位置に倒した状態を示す。
【図２】同上の要部側面図であり、（ａ）はレバー、（ｂ）は補強用金具である。
【図３】同上の要部側面図である。
【図４】同上の斜視図である。
【図５】（ａ）は同上のレバーを第２の規定位置に起こした状態を示し、上段が上面図、下段が正面図、（ｂ）は同上のレバーを第１の規定位置に倒した状態を示し、上段が上面図、下段が正面図である。
【図６】同上の一部破断した側面図である。
【図７】同上の一部破断した側面図である。
【図８】同上のレバーが第１の規定位置から回動したときの断面図である。
【図９】従来例を示し、（ａ）はレバーを第２の規定位置に起こした状態の斜視図、（ｂ）はレバーを第１の規定位置に倒した状態の斜視図である。
【図１０】同上の断面図である。
【図１１】他の従来例を示し、（ａ）は斜視図、（ｂ）は要部断面図である。
【符号の説明】
【００３２】
１  コネクタ
２  フレキシブルプリント配線板（ＦＰＣ）
３  ハウジング
３ｃ  軸受部
４  コンタクト（第１コンタクト）
４ａ  接点部（第１接点部）
４ｂ  枢支部（第１枢支部）
５  コンタクト（第２コンタクト）
５ａ  接点部（第２接点部）
５ｂ  枢支部（第２枢支部）
６  レバー
６ａ  枢支軸
３０  補強用金具
３１ｃ  係合用凸部
６１ａ  係合用凹部
【図１】
0004872891.tif 000002
【図２】
0004872891.tif 000003
【図３】
0004872891.tif 000004
【図４】
0004872891.tif 000005
【図５】
0004872891.tif 000006
【図６】
0004872891.tif 000007
【図７】
0004872891.tif 000008
【図８】
0004872891.tif 000009
【図９】
0004872891.tif 000010
【図１０】
0004872891.tif 000011
【図１１】
0004872891.tif 000012